【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
各種塵埃を捕捉する為のフィルターにおいて、前記フィルターは、不織布、又は不織布と織物の積層体により形成されてあると共に、少なくとも１箇所以上の端部が溶着又は溶断されて形成されてあることを特徴とするフィルター。
【請求項２】
請求項１記載の構成よりなるフィルターにおいて、前記フィルターは、複数の同材質の不織布、又は不織布と織物の積層体の端部が互いに溶着されて形成されてあるか、あるいは前記不織布、又は不織布と織物の積層体にたいして同材質の枠部が溶着又は溶断されて形成されてあることを特徴とするフィルター。
【請求項３】
請求項１又は２記載の構成よりなるフィルターにおいて、前記フィルターの溶断された部分は、カッター、電気、光、電磁波、熱、高圧流体、超音波、高周波、あるいは振動による切断により溶融変形して形成されてあることを特徴とするフィルター。
【請求項４】
温風を作る為の駆動源、及び被乾燥面に温風を噴きつける噴出手段を備えると共に、請求項１から３のいずれか１項に記載の前記フィルターが搭載されてある乾燥炉。
【手続補正２】
【補正対象書類名】明細書
【補正対象項目名】０００８
【補正方法】変更
【補正の内容】
【０００８】
そして、本発明は、上記のような課題を解決する為に、フィルターは、不織布、又は不織布と織物の積層体により形成されてあると共に、少なくとも１箇所以上の端部が溶着又は溶断されて形成されてあるものである。
【手続補正３】
【補正対象書類名】明細書
【補正対象項目名】０００９
【補正方法】変更
【補正の内容】
【０００９】
また、第２の解決手段は、前記フィルターは、複数の同材質の不織布、又は不織布と織物の積層体の端部が互いに溶着されて形成されてあるか、あるいは前記不織布、又は不織布と織物の積層体にたいして同材質の枠部が溶着又は溶断されて形成されてあるものである。
【手続補正４】
【補正対象書類名】明細書
【補正対象項目名】００１０
【補正方法】変更
【補正の内容】
【００１０】
また、第３の解決手段は、前記フィルターの溶断された部分は、カッター、電気、光、電磁波、熱、高圧流体、超音波、高周波、あるいは振動による切断により溶融変形して形成されてあるものである。
【手続補正５】
【補正対象書類名】明細書
【補正対象項目名】００１１
【補正方法】変更
【補正の内容】
【００１１】
また、第４の解決手段は、温風を作る為の駆動源、及び被乾燥面に温風を噴きつける噴出手段を備えると共に、第１から第３の解決手段のいずれかのフィルターが搭載されてある乾燥炉であるものである。
【手続補正６】
【補正対象書類名】明細書
【補正対象項目名】００１３
【補正方法】変更
【補正の内容】
【００１３】
また、第２の解決手段による作用は、複数の同材質の不織布、又は不織布と織物の積層体の端部が互いに溶着されて形成されてあるか、あるいは前記不織布、又は不織布と織物の積層体にたいして同材質の枠部が溶着又は溶断されて形成されてある。その為、不織布、不織布と織物の積層体、及び枠部を構成する同材質の熱可塑性樹脂が、溶融変形して互いに固着する。その為、異材質どうしの溶着に比べて、極めて高い強度にて溶着できる。その為、複数の平板状の同材質の不織布、あるいは不織布と織物の積層体を溶着する事により、大面積の不織布、あるいは不織布と織物の積層体を使用したフィルターを提供できる。また、同材質の不織布、又は不織布と織物の積層体と枠部を溶着する場合にも、極めて高い強度にて溶着できる為、枠から不織布が外れる事が無い。
【手続補正７】
【補正対象書類名】明細書
【補正対象項目名】００１４
【補正方法】変更
【補正の内容】
【００１４】
また、第３の解決手段による作用は、フィルターが、カッター、電気、光、電磁波、熱、高圧流体、超音波、高周波、あるいは振動により溶断されてある。その時の溶断された部分は、前記各種手段により発生した熱等により不織布が溶融変形される。その為、溶断するのみで、不織布内の熱可塑性樹脂等の糸くず等が発生して脱落することが無い、的確な形状のフィルターを製作できる。
【手続補正８】
【補正対象書類名】明細書
【補正対象項目名】００１５
【補正方法】変更
【補正の内容】
【００１５】
また、第４の解決手段による作用は、温風を作る為の駆動源、及び被乾燥面に温風を噴きつける噴出手段を備えると共に、第１から第３の解決手段のいずれかのフィルターが、乾燥炉に搭載されてある。第１から第３の解決手段のフィルターは、不織布内の熱可塑性樹脂等の糸くず等が発生して脱落しないと共に、形状変形を抑制でき、耐久性を高める事ができる為、乾燥性能が極めて高く、高い耐久性を有する乾燥炉を製作できる
【手続補正９】
【補正対象書類名】明細書
【補正対象項目名】００１７
【補正方法】変更
【補正の内容】
【００１７】
第１の発明は、各種集塵を捕捉する為のフィルターにおいて、前記フィルターは、不織布、又は不織布と織物の積層体により形成されてあると共に、少なくとも１箇所以上の端部が溶着又は溶断されて形成されてある。その為、溶着又は溶断された端部は、加熱される事により、不織布内、又は不織布と織物の積層体内の熱可塑性樹脂が溶融変形して、一体的に接合される。その為、フィルターに入った温風が端部から漏れ出す事が無くなる。また、不織布内、又は不織布と織物の積層体内の熱可塑性樹脂等の糸くず等が発生して脱落することが無く、フィルターの耐久性を高める事ができる。また、外部からの押し圧力にたいする形状変形を抑制できる。また、端部は、互いの樹脂間が、一定の空隙を保持した状態にて、固着する事もできる。前記の状態にて固着した場合にも、一体的に接合した場合と同様の作用を有する。また、溶断した場合にも、溶着と同様の作用を有する。例えば、フィルターの形状が四角形の平板の場合においては、外周の４箇所の端面を溶着又は溶断する事により、端部から糸くずが発生して脱落する事が無くなると共に、形状変形を大きく抑制する事ができる。さらにまた、形状変形をより抑制する場合には、４箇所の端面以外の上面あるいは底面の一部を溶着する方法も採用できる。
【手続補正１０】
【補正対象書類名】明細書
【補正対象項目名】００１８
【補正方法】変更
【補正の内容】
【００１８】
第２の発明は、第１の発明よりなるフィルターにおいて、前記フィルターは、複数の同材質の不織布、又は不織布と織物の積層体の端部が互いに溶着されて形成されてあるか、あるいは前記不織布、又は不織布と織物の積層体にたいして同材質の枠部が溶着又は溶断されて形成されてある。同材質の場合には不織布、不織布と織物の積層体、及び枠部を構成する熱可塑性樹脂が、溶融変形して互いに固着する為、異材質どうしの溶着に比べて、極めて高い強度にて溶着できる。例えば、複数の平板状の同材質の不織布、又は不織布と織物の積層体を溶着する場合には大面積の不織布、又は不織布と織物の積層体を使用したフィルターを提供できる。また、同材質の不織布と枠部、又は不織布と織物の積層体と枠部を溶着する場合には、極めて高い強度にて溶着できる為、枠から不織布、又は不織布と織物の積層体が外れる事が無い。また、枠部に不織布、又は不織布と織物の積層体を仮固定後溶着する場合には、簡易かつ迅速な作業のみにて、枠に不織布、又は不織布と織物の積層体を固定できる。
【手続補正１１】
【補正対象書類名】明細書
【補正対象項目名】００１９
【補正方法】変更
【補正の内容】
【００１９】
第３の発明は、第１又は第２の発明よりなるフィルターにおいて、前記フィルターの溶断された部分が、カッター、電気、光、電磁波、熱、高圧流体、超音波、高周波、あるいは振動による切断により溶融変形した不織布にて形成されてある。その為、溶断された部分は、前記各種手段により発生した熱等により、不織布が溶融変形される。その為、溶断するのみで互いの樹脂間が固着され、糸くず等が発生して脱落することが無くなる。また、溶断後、別工程として溶着をする必要が無い為、的確な形状のフィルターを迅速に製作できる。
【手続補正１２】
【補正対象書類名】明細書
【補正対象項目名】００２０
【補正方法】変更
【補正の内容】
【００２０】
第４の発明は、温風を作る為の熱駆動源、及び被乾燥面に温風を噴きつける噴出手段を備えると共に、第１から第３の発明のいずれかのフィルターが搭載されてある乾燥炉である。第１から第３の発明のいずれかのフィルターは、上記の如くの作用、効果を有している為、乾燥性能、及び耐久性の高い乾燥炉を製作できる。